(57)【要約】【課題】浴槽水中の汚れ物質を効率的に排出口に集めることができる浴槽水浄化システムを提供する。【解決手段】浴槽水中の髪の毛，湯垢，皮脂等の汚れ物質を、気泡および水流を用いて浴槽水面に集めた後、浴槽水面位置に設けた排出口３から浴槽外に捨てるように構成した浴槽水浄化システムにおいて、排出口３の浴槽の外側に水溜部５ｂを設け、この水溜部５ｂ内の水をポンプ７で吸引して水流発生口２から浴槽内に噴出させることができるように構成する。【選択図】図４
2009131428.tif 000002
【特許請求の範囲】
【請求項１】
浴槽水中の髪の毛，湯垢，皮脂等の汚れ物質を、気泡および水流を用いて浴槽水面に集めた後、浴槽水面位置に設けた排出口から浴槽外に捨てるように構成した浴槽水浄化システムにおいて、
前記排出口の浴槽外側に水溜部を設け、該水溜部内の水を吸引できるように構成したことを特徴とする浴槽水浄化システム。
【請求項２】
前記水溜部から吸引した水を水流発生口から前記水流として浴槽内に戻すように配管構成したことを特徴とする請求項１に記載の浴槽水浄化システム。
【発明の詳細な説明】
【技術分野】
【０００１】
本発明は、フィルター等を用いることなく、浴槽水中の汚れ物質を良好に除去できる浴槽水浄化システムに関するものである。
【背景技術】
【０００２】
従来、特許文献１に開示されているように、浴槽内の浴槽水を、吸水口から吸水して循環配管内を通し吐出口から浴槽内に吐出させるようにし、循環配管内にポンプと浄化筒を設けて、浄化筒内で浴槽水中の汚れ物質を濾過して除去するように構成したものが存在する。
【特許文献１】特開平１０−２４３８８９号公報
【発明の開示】
【発明が解決しようとする課題】
【０００３】
上記特許文献１に開示されている構成では、濾過により浴槽水を浄化する構成であるため、定期的に浄化筒を洗浄する必要があり、メンテナンスが必要になるという問題点があった。
【課題を解決するための手段】
【０００４】
本発明は、フィルター等を用いることなく、メンテナンスの必要がなく、良好に浴槽水中の汚れ物質を除去できる浴槽水浄化システムを提供することを目的の１つとし、この目的の少なくとも一部を達成するために以下の手段を採った。
本発明は、浴槽水中の髪の毛，湯垢，皮脂等の汚れ物質を、気泡および水流を用いて浴槽水面に集めた後、浴槽水面位置に設けた排出口から浴槽外に捨てるように構成した浴槽水浄化システムにおいて、前記排出口の浴槽外側に水溜部を設け、該水溜部内の水を吸引できるように構成したことを要旨とする。
【発明の効果】
【０００５】
水溜部内の水を吸引できるように構成したため、排水口の外側の水溜部まで水流が達することとなり、効率的にゴミ等の汚れ物質を排出口付近に集めることができる。
【０００６】
また、本発明の浴槽水浄化システムにおいて、前記水溜部から吸引した水を水流発生口から前記水流として浴槽内に戻すように配管構成することもできる。
なお、ゴミ等を吸引しないようにして、水溜部内の水を水流発生口から浴槽内に戻せば、効率的にゴミ等の汚れ物質を水溜部内に集めることができる。
【発明を実施するための最良の形態】
【０００７】
次に、本発明を実施するための最良の形態を実施例を用いて説明する。
先ず、浴槽水浄化の動作を図１のフローチャートを用いて説明する。
図１において、微細気泡発生装置が起動して、浴槽内に溜められている浴槽水中に微細気泡を噴出させて、浴槽水中に微細気泡を充満させる。この微細気泡により、浴槽水中の髪の毛，湯垢，皮脂，ゴミ等の汚れ物質は、微細気泡とともに浴槽水面に浮上することとなり、この状態で微細気泡発生装置からの微細気泡の噴出を停止させる。
その後、水流発生装置を起動させ、水を浴槽水中に噴出させて浴槽水中に水流を発生させ、浮遊したゴミ等の汚れ物質を水流により排出口付近に移動させる。ここで排出装置を起動させて、排出口に集められた浮遊ゴミ等を捨て水とともに浴槽外に排出させる。
【０００８】
なお、微細気泡発生装置から、例えば１，２分間程度気泡を発生させれば良く、また、水流発生装置から例えば３分間程度水流を発生させるようにして、水流発生装置を停止させた後に排出装置を起動させて、集められたゴミ等の汚れ物質を浴槽外に排出することができる。
【０００９】
このようにして浴槽水中の髪の毛，湯垢，皮脂，ゴミ等の汚れ物質を良好に浴槽外に排出して浴槽水を浄化することができるものであり、具体的な実施例を図２〜図４に示す。
図２は、内側から視た浴槽の要部斜視構成図であり、図３は、外側から視た浴槽の斜視構成図である。また図４は、浴槽のサブタンクの位置での縦断面構成図である。
【００１０】
図において、略長方形状に形成された浴槽１の長尺側の側面１ａに、気泡発生口（微細気泡発生装置）を兼用した水流発生口２（水流発生装置）が設けられており、この水流発生口２から対面である長尺側面１ｂに向かって水流を噴出させることができるように構成されている。
また、水流発生口２の上方の浴槽水面位置に排出口３が開口されている。この排出口３の内側には、上下動可能に排出口ゲート４が設けられており、この排出口ゲート４の上部には排出口３と整合する凹部４ａが形成され、この排出口ゲート４は浴槽１内に溜められている浴槽水の浮力で上下動できるように、水の比重よりも小さい比重の素材で形成しておくことができる。なお、排出口ゲート４は手動で上下動できるようにしておくこともできる。
【００１１】
排出口３の外側にはサブタンク５が設けられ、サブタンク５内には浴槽水を溜めることのできる水溜部５ｂが形成されており、サブタンク５内に排出口３から流入した浴槽水を溜めることができるものである。サブタンク５の底側には循環口５ａが開口され、この循環口５ａに循環管路６の上流端が接続されている。循環管路６の下流端は前記水流発生口２に接続されている。この循環管路６の途中にはポンプ７が設けられており、ポンプ７が作動することで、サブタンク５の水溜部５ｂ内の浴槽水を循環管路６を通し水流発生口２から浴槽１内に噴出させることができるように構成されている。
【００１２】
また、サブタンク５の側面には、上方へ向かって湾曲状に立ち上げてホース８が接続されており、ホース８の上端は自由端となっており、開口８ａが形成されている。
このホース８は排出装置を構成するものであり、可撓性または蛇腹状のもので構成することができる。また、ホース８は、サブタンク５側の根元を中心として上下方向に回動できるように構成しておくこともできる。
なお、図３では、サブタンク５の側面下端側にホース８が接続されているものを例示しているが、サブタンク５の側面の上方側あるいは上下方向中間部付近にホース８を接続したものであっても良い。
なお、本例では、水流発生口２は気泡発生口と兼用されているが、気泡発生口（微細気泡発生装置）を別途、浴槽１の側面１ａあるいは底面に設けて、気泡発生口に別途ポンプを接続した構成であっても良い。
【００１３】
このような構成において、気泡発生口から気泡が噴出されて、浴槽水中の髪の毛，湯垢，皮脂，ゴミ等が気泡とともに浮上して浴槽水面に集められるが、ゴミ等を吸引しないようにして、水溜部５ｂ内の浴槽水が循環管路６を通して水流発生口２から浴槽１内に噴出されて、噴出された水流により浴槽１内で旋回流が発生するものである。
この旋回流により、排出口３側にゴミ等の汚れ物質が集められて、浴槽水面の浴槽水が排出口３からサブタンク５内に流れ、サブタンク５内に浴槽水とともに汚れ物質が流入される。
【００１４】
水流発生口２からの水流の噴出を止めるまでは、図３のように、排出装置を構成するホース８は開口８ａを上向きに保持しておく。
図３の状態では、ホース８の先端開口８ａが浴槽１内の浴槽水面の水位よりも上方位置に保持されている限り、先端開口８ａから浴槽水が漏れることはない。
【００１５】
なお、ホース８の開口８ａを手動または電動で上下動させて操作できるように構成され、この図３の状態から、ホース８の開口８ａを下方側へ押し下げると、これに伴いホース８は根元を中心として回転するか、或いは曲げられて開口８ａが下向き状態となり、この状態では、サブタンク５内に溜まっている汚れ物質を含んだ浴槽水が良好に先端開口８ａから排出されるものであり、汚れ物質を排出した後に、再びホース８の開口８ａを押し上げて、ホース８の先端開口８ａを上向きにして保持しておくことができる。
【００１６】
また、本例の水流発生口２内にはノズル９が設けられており、このノズル９から水を噴出させることができ、ノズル９により水流の向きと水流の勢いが調整できるものである。
なお、ノズル９は、側面１ａから対向する側面１ｂに向かって真っ直ぐに水を噴出させるように設けても良く、やや上向き、或いはやや下向きに水を噴出させるように設けても良い。
【００１７】
次に、図５は、排出装置の別例を示す斜視構成図である。
図５では、浴槽１の短尺側の側面１ａに気泡発生口を兼用した水流発生口２を設け、その上方に、図示されない排出口の浴槽１の外側にサブタンク５が設けられ、サブタンク５内には浴槽水を溜めることのできる水溜部が形成されて、サブタンク５内に排出口から流入した浴槽水を溜めることができるものである。
サブタンク５の底側には循環管路６の上流端が接続され、循環管路６の下流端は水流発生口２に接続されている。この循環管路６の途中にはポンプ７が設けられており、ポンプ７が作動することで、サブタンク５の水溜部内の浴槽水を循環管路６を通し水流発生口２から浴槽１内に噴出させることができるように構成されている。
【００１８】
また、サブタンク５には外側から第１トラップ管路１１が接続されており、この第１トラップ管路１１の下流側には第２トラップ管路１２が接続され、第２トラップ管路１２の下流に垂下状に排出管路１３が接続されて構成されており、第１トラップ管路１１と第２トラップ管路１２でダブルトラップ構造の排出装置１０が形成されている。
第１トラップ管路１１は、サブタンク５から上方へ立ち上がる立上部１１ａと、立上部１１ａの上端で逆Ｕ字状に曲げられて下側に向かって垂設された垂下部１１ｂで構成されており、第１トラップ管路１１の垂下部１１ｂには、横方向へ水平に延びて連通管１４が接続されており、連通管１４の先端には開閉可能にバルブ１５が設けられている。また、連通管１４から上方へ立ち上げてフロート弁１６が設けられ、フロート弁１６の上端に吸気管１７が接続されており、この吸気管１７には図示しないエアポンプが連通接続されている。
この連通管１４のバルブ１５とフロート弁１６と吸気管１７と図示しないエアポンプで吸引機構１０ａが構成されている。
【００１９】
このような構成においては、浴槽水中の髪の毛，湯垢，皮脂等の汚れ物質が気泡により浮上し、水流発生口２から噴出される水流による旋回流で、汚れ物質が排出口に集められるが、この時にエアポンプを作動させて吸気管１７から第１トラップ管路１１内の空気を吸引することにより、第１トラップ管路１１内にサイフォン現象を発生させることができ、このサイフォン現象により、サブタンク５の水溜部内から浴槽水とともに汚れ物質を第１トラップ管路１１側へ強制的に吸引し、排出管路１３から排出することができるものとなる。なお、一旦、サイフォン現象が起こると、浴槽１内の浴槽水の水位との水位差で排出管路１３から浴槽水が流れ続けることとなる。
汚れ物質が排出管路１３から排出された頃合にバルブ１５を開くことにより、第１トラップ管路１１および第２トラップ管路１２で構成されるダブルトラップ管路内に空気が入り、サイフォン現象が終了し、この状態で浴槽水の流出が停止されることとなる。
【００２０】
このように吸引機構１０ａをダブルトラップ構造の管路に接続して排出装置１０を構成することにより、吸引機構１０ａによりダブルトラップ管路内の空気を吸引して、管路内にサイフォン現象を強制的に発生させ、サブタンク５の水溜部内の浴槽水をゴミ等とともに浴槽外に排出できるものであり、ダブルトラップ管路内に空気をバルブ１５から投入することによりサイフォン現象を停止させて、浴槽水の浴槽外への排出を停止させることができ、簡単な管路構成で故障の生じない排出装置とすることができる。
なお、フロート弁１６を設けたのは、吸気管１７側に浴槽水が流入するのを防止するためである。即ち、連通管１４からフロート弁１６に水が入ってくると内部の弁体１６ａが浮上し、弁体１６ａが吸気管１７を閉止させることとなり、これにより吸気管１７を通り水がポンプ側へ流れ込むことが防がれる。
【００２１】
このように構成すれば、浴槽水中の髪の毛，湯垢，皮脂等の汚れ物質が気泡により浮上し、水流発生口２から噴出される水流により汚れ物質が排出口に集められるが、排水口の外側のサブタンク５の水溜部まで水流が達することとなり、効率的にゴミ等の汚れ物質を排出口付近に集めることができ、サブタンク５内に浴槽水とともに汚れ物質が流入されるので、エアポンプを作動させて吸気管１７から第１トラップ管路１１内の空気を吸引することによりサイフォン現象を発生させて、サブタンク５内の浴槽水を汚れ物質とともに第１トラップ管路１１側へ強制的に吸引し、排出管路１３から排出することができる。
【図面の簡単な説明】
【００２２】
【図１】浴槽浄化システムの動作を説明するフローチャート図である。
【図２】浴槽を内側から視た要部斜視構成図である。
【図３】浴槽を外側から視た要部斜視構成図である。
【図４】浴槽のサブタンク部の位置での縦断面構成図である。
【図５】排水装置の別例を示す浴槽を外側から視た斜視構成図である。
【符号の説明】
【００２３】
１  浴槽
１ａ，１ｂ  側面
２  水流発生口（水流発生装置）
３  排出口
４  排出口ゲート
５  サブタンク
５ａ  循環口
５ｂ  水溜部
６  循環管路
７  ポンプ
８  ホース（排出装置）
８ａ  開口
１０  排出装置
１１  第１トラップ管路
１２  第２トラップ管路
１３  排出管路
１４  連通管
１５  バルブ
１６  フロート弁
１７  吸気管
【図１】
2009131428.tif 000003
【図２】
2009131428.tif 000004
【図３】
2009131428.tif 000005
【図４】
2009131428.tif 000006
【図５】
2009131428.tif 000007